(57)【要約】【課題】人と人とをワンタッチにて、連結させる事が出来、その解除もまた、ワンタッチ操作で行う事が出来る、ジョイント式ベルトを提供する。【解決手段】円形に巻回されてなるベルト状は、端部どうしがやや長く重なり合うように巻回し、連結部となるワイヤー入りひも寄りに形成された該ベルト状の２つのベルト返し止め金具へ、一方の端部を挿通し、このベルト返し止め金具どうしの間に形成された凸型バックル底部に形成された凸金具を、他方端部に形成されたベルト孔に差し込むことで単体のベルトを形成し、この単体ベルトを一対形成した上で、ワイヤー入りひもの左右端部にワンタッチ開閉金具を設け、かつ、前記単体ベルトの端部には、それぞれ受け金具を設けたことを特徴とする、人と人とを連結するジョイント式ベルト。【選択図】図１
2005296592.tif 000002
【特許請求の範囲】
【請求項１】
円形に巻回されてなるベルト状は、端部どうしがやや長く重なり合うように巻回し、連結部となるワイヤー入りひも寄りに形成された該ベルト状の２つのベルト返し止め金具へ、一方の端部を挿通し、このベルト返し止め金具どうしの間に形成された凸型バックル底部に形成された凸金具を、該ベルト状に形成されたベルト孔に差し込むことで単体のベルトを形成し、この単体ベルトを一対形成した上で、ワイヤー入りひもの左右端部にワンタッチ開閉金具を設け、かつ、前記単体ベルトの端部には、それぞれ受け金具を設けたことを特徴とする、人と人とを連結するジョイント式ベルト。
【発明の詳細な説明】
【技術分野】
【０００１】  本発明は、人と人とを連結させ、誘導や安全確保に役立たせる、ジョイント式ベルトに関するものである。
【背景技術】
【０００２】  従来、恐いもの知らずの幼児を連れての散歩や買物の途中で、その手を離さなければいけない時など、幼児が車道に急に飛び出す危険性や迷子になる心配があり、非常に困った。
そこで、応急処置的にヒモで自分の服のベルトと幼児の体を単純に結んだりしていた。
また、先行技術としては、肩掛けベルトを兼用した保護者用の胴ベルトと、子供用パンツ形状などに肩掛けベルトを組み合わせ、それらを結合ベルトで連結した子供保護ベルトが知られている（例えば特許文献１）。
また、一方の連結側を、リュックサックなどの袋状物とし、引綱を係止する手段としてワンタッチで着脱可能な金具とした安全引き具が提案されている（例えば特許文献２）。
また、保護者が引く引き具を、電話機の受話器と本体とを結ぶ螺旋体コード（カールコード）とした安全保護具の技術が開示されている（例えば特許文献３）。
さらに、幼児の腰への固定用ベルトの装脱に便利なように、リュックサックなどのベルトに用いられるワンタッチバックルを採用した、幼児用歩行運動補助ベルトの技術が知られている（例えば特許文献４）。【０００３】
【特許文献１】      実公平２−３２１２４号公報
【特許文献２】      特開平１０−１１７８９７号公報
【特許文献３】      実開平７−１４９５８号公報
【特許文献４】      登録実用新案第３０３０１２１号公報
【発明の開示】
【発明が解決しようとする課題】
【０００４】  急に走り出したりする幼児を連れ歩く時、手をしっかりにぎったり、幼時の体にひもを巻き、保護者（親）が手で引っぱったりしていたが、危険もともない、不便だった。
また、ひもを自分の腰ベルトに付けたり、腰に巻いたりしていたが、すぐにゆるんだりしていた。
上記先行技術にあっては、
例えば特許文献１の技術においては、一体となった子供用パンツ形状とその肩掛けベルトを、保護者の胴ベルトへ結合する際は、保護者の胴ベルト上に形成された（ひっかけ孔などが想定される）係止部へひっかける形態としており、子供の激しい動きによっては、結合ベルトの脱落を招くおそれがある。
また、特許文献２の技術にあっては、ワンタッチの開閉金具によって、子供側の輪形への引綱の着脱が容易になるという利点を有するものの、逆にそのことによって、一方で、上記同様の理由により、子供の動きによってはずれやすくなる危険性もあり、同時に保護者側の輪形も手に持つように構成されているため、はずれやすい危険性があると言わざるを得ない。
また、特許文献３においては、より柔軟で伸縮性に富んだ引き具を採用することにより、この文献の図７に示されるようなワンタッチタイプの止着具であっても、はずれにくさはやや向上するものの、やはりこの技術にあっても、保護者が引く側のベルト（環状または環状体）が、手首にかぶせるか巻く形態をとっているため、不用意な子供の行動、動作によっては、かえって保護者側の腕の自由がきかなくなり、手の使えない不自由な思いをしなければならない。
さらに特許文献４においても、上記特許文献３の技術の引用において言及した点と同様の点を指摘することができる。
本発明は、以上の問題点を解決し、子供の安全のみならず、保護者の両手も自由になり、かつ、ワンタッチで対どうしのベルトをつなぐことが可能でありながら、しかも容易にはずれてしまうことのないジョイント式ベルトを提供しようとするものである。
【課題を解決するための手段】
【０００５】  円形に巻回されてなるベルト状は、端部どうしがやや長く重なり合うように巻回し、連結部となるワイヤー入りひも寄りに形成された該ベルト状の２つのベルト返し止め金具へ、一方の端部を挿通し、このベルト返し止め金具どうしの間に形成された凸型バックル底部に形成された凸金具を、該ベルト状に形成されたベルト孔に差し込むことで単体のベルトを形成し、この単体ベルトを一対形成した上で、ワイヤー入りひもの左右端部にワンタッチ開閉金具を設け、かつ、前記単体ベルトの端部には、それぞれ受け金具を設けたことを特徴とする、人と人とを連結するジョイント式ベルト。
【発明の効果】
【０００６】  本発明は親と子、リハビリ用、介護用、水中におけるダイビング用、そして一方のワンタッチ金具をペットの首輪に装着すれば、簡単にペット用として対応が出来る等々、あらゆる分野において使用が可能であり、一方のベルトに引かれた者を適正に誘導することが出来る。
また、歩行時や夏の水辺などでの事故防止に大いに寄与出来るものである。
さらには、回転ドアでの子供の誘導にも役立つものである。
【発明を実施するための最良の形態】
【０００７】  円形に巻回されてなるベルト状は、端部どうしがやや長く重なり合うように巻回し、連結部となるワイヤー入りひも（７）寄りに形成された該ベルト状の２つのベルト返し止め金具（２）へ、一方の端部を挿通し、このベルト返し止め金具（２）どうしの間に形成された凸型バックル（１）底部に形成された凸金具を、該ベルト状に形成されたベルト孔に差し込むことで単体のベルトを形成し、この単体ベルトをＡ、Ｂ一対形成した上で、ワイヤー入りひも（７）の左右端部にワンタッチ開閉金具（６）を設け、かつ、前記単体ベルトＡ、Ｂの端部には、それぞれ受け金具（５）を設けたことを特徴とする、人と人とを連結するジョイント式ベルト。
本発明は、以上の構成よりなっている。
本発明を使用する時は、つなぐ側とつながれる側の両者が本発明中の単体のベルトＡ、Ｂをそれぞれ装着し、必要な時に、ワンタッチ開閉金具（６）の付いたワイヤー入りひも（７）を取り出し、受け金具（５）に接続する事で、両者を簡単に連結することが出来る。
必要でなくなった場合は、一方のワンタッチ開閉金具（６）を解除すればよい。
また、次に必要となる時に備えて、片方の受け金具（５）に、双方のワンタッチ開閉金具（６）を付け下げる事もできる。
【図面の簡単な説明】
【０００８】
【図１】  本発明の実施例を示す正面図
【図２】  本発明の実施例における一部拡大図
【図３】  図２の水平方向から見た側面図
【図４】  本発明の実施例における各ベルト連結部の一部拡大図
【図５】  本発明の使用状態を示す図
【符号の説明】
【０００９】    １    凸型バックル
２    ベルト返し止め金具
３    塩化ビニール、繊維、革等のベルトａ
４    塩化ビニール、繊維、革等のベルトｂ
５    受け金具
６    ワンタッチ開閉金具
７    ワイヤー入りひも
【図１】
2005296592.tif 000003
【図２】
2005296592.tif 000004
【図３】
2005296592.tif 000005
【図４】
2005296592.tif 000006
【図５】
2005296592.tif 000007